(57)【要約】【課題】  従来例にあっては、２枚のアクリル板の間に写真やカードを挟み込み固定する手段として、ネジ止めによって行うために広告媒体等のように定期的に交換が必要な場合、ネジを外して広告媒体である写真やカードを交換し、再び、ネジ止めするために手間がかかり交換が面倒であるといった問題があった。【解決手段】  ２枚のアクリル樹脂やガラス等の透明板あるいは半透明板からなるボード１，２と、該それぞれのボードの少なくとも対角線上の２か所に埋設され、前記２枚のボードを近接した状態において吸引し合うマグネット３，４とから構成し、写真等の比較的厚みの薄い媒体５を２枚のボードの間で挟持した媒体表示用ボードである。【選択図】        図１
0003106554.tif 000002
【実用新案登録請求の範囲】
【請求項１】
２枚のアクリル樹脂やガラス等の透明板あるいは半透明板からなるボードと、該それぞれのボードの少なくとも対角線上の２か所に埋設され、前記２枚のボードを近接した状態において吸引し合うマグネットとから構成し、写真等の比較的厚みの薄い媒体を２枚のボードの間で挟持したことを特徴とする媒体表示用ボード。
【請求項２】
２枚のアクリル樹脂やガラス等の透明板あるいは半透明板からなり、かつ、対向面に立体物の媒体を収容するための凹部が形成されたボードと、該それぞれのボードの少なくとも対角線上の２か所に埋設され、前記２枚のボードを近接した状態において吸引し合うマグネットとから構成し、媒体を前記ボードの凹部に収容して２枚のボードの間で挟持したことを特徴とする媒体表示用ボード。
【請求項３】
前記ボードの少なくとも１枚に額縁等の図柄を印刷あるいは彫刻を施したことを特徴とする請求項１および２記載の媒体表示用ボード。
【考案の詳細な説明】
【技術分野】
【０００１】
本考案は、写真や立体物の媒体、例えば、ポスターや製品の現物等の広告媒体を、アクリル樹脂やガラス等の透明板あるいは半透明板で構成したボードの間に挟んで表示するための媒体表示用ボードに関する。
【背景技術】
【０００２】
従来における写真等を飾るためのアクリル樹脂で構成されたボードとしては、特開２００４−１３８３６３に開示されている発明がある。この発明は、アクリル等の板を重ね合わせた間に写真やカードを挟み、アクリル板の四隅を孔を穿ち、該孔にビスを差し込んでナットでネジ止め固定して、写真やカードをアクリル板の間に固定するものである。
【特許文献１】特開２００４−１３３３６３
【考案の開示】
【考案が解決しようとする課題】
【０００３】
ところで、前記した従来例にあっては、２枚のアクリル板の間に写真やカードを挟み込み固定する手段として、ネジ止めによって行うために広告媒体等のように定期的に交換が必要な場合、ネジを外して広告媒体である写真やカードを交換し、再び、ネジ止めするために手間がかかり交換が面倒であるといった問題があった。
【０００４】
また、広告媒体が写真やカードのような平坦なものではなく、小型の製品である立体物の場合には、前記従来の発明は採用することができないといった問題もあった。
【０００５】
本考案は前記した問題点を解決せんとするもので、その目的とするところは、アクリル樹脂やガラスで構成したボードの少なくとも対角線上に埋め込まれたマグネットの吸着力で媒体を挟み固定するようにしたので、媒体の交換が非常に簡単となり、かつ、マグネットの吸着力によって２枚のボードが位置ズレすることなく重ね合わせることができ、外観の美観も優れた状態で飾ることができる媒体表示用ボードを提供せんとするにある。
【課題を解決するための手段】
【０００６】
本考案の媒体表示用ボードは前記した目的を達成せんとするもので、請求項１の手段は、２枚のアクリル樹脂やガラス等の透明板あるいは半透明板からなるボードと、該それぞれのボードの少なくとも対角線上の２か所に埋設され、前記２枚のボードを近接した状態において吸引し合うマグネットとから構成し、写真等の比較的厚みの薄い媒体を２枚のボードの間で挟持したことを特徴とする。
【０００７】
また、請求項２の手段は、２枚のアクリル樹脂やガラス等の透明板あるいは半透明板からなり、かつ、対向面に立体物の媒体を収容するための凹部が形成されたボードと、該それぞれのボードの少なくとも対角線上の２か所に埋設され、前記２枚のボードを近接した状態において吸引し合うマグネットとから構成し、媒体を前記ボードの凹部に収容して２枚のボードの間で挟持したことを特徴とする。
【０００８】
さらに、請求項３の手段は、前記した請求項１および２において、前記ボードの少なくとも１枚に額縁等の図柄を印刷あるいは彫刻を施したことを特徴とする。
【考案の効果】
【０００９】
本考案は前記したように、写真やポスター等の紙片である媒体を、少なくとも対角線上にマグネットを埋設したボードの間に挟み込み、マグネットの磁力によりボード間に固定するようにしたので、媒体のボードへの挟み込みおよび取外しが簡単に行え、かつ、２枚のボードは対向するマグネットの磁力によりズレることがなく外観の美観も優れた状態で飾ることができる。
【００１０】
また、製品等の立体物である媒体を、該媒体の形状に形成された凹部が形成され、かつ、少なくとも対角線上にマグネットを埋設したボードの前記凹部に収容してボードを合わせることで、マグネットの磁力によりボード間に固定されるので、媒体のボードへの挟み込みおよび取外しが簡単に行え、かつ、２枚のボードは対向するマグネットの磁力および媒体が凹部に収容されることでズレることがなく外観の美観も優れた状態で飾ることができる。
【００１１】
さらに、ボードの少なくとも１枚に額縁等の図柄を印刷あるいは彫刻を施すことで、該図柄が表示されているボードを背面側に位置させることで、前面から見ると媒体の背面側から前記図柄が見えて意匠的にも優れたものが得られる等の効果を有するものである。
【考案を実施するための最良の形態】
【００１２】
本考案は、アクリル樹脂やガラスで構成したボードの少なくとも対角線上に埋め込まれたマグネットの吸着力で、ボードの間に平坦な媒体や立体的な媒体を挟み固定するようにしたものである。
【実施例１】
【００１３】
本考案に係る媒体表示用ボードの第１の実施例を図１、図２と共に説明する。
１および２は四角形状のアクリル樹脂やガラスで構成したボードにして、少なくとも対角線上の２か所にマグネット３，４がボード１，２の表面と面一となるように埋設されている。なお、ボード１に埋設されているマグネット３と、ボード２に埋設されているマグネット４とは互いに吸着する向きに着磁されているので、マグネット３，４が埋設されている面を合わせることで、ボード１，２は一体化される構造となっている。
【００１４】
５は写真やポスター等の比較的薄い材料で形成されている板状の媒体にして、その大きさはボード１，２のマグネット３，４と重ならないような大きさのものが好ましいが、媒体５の厚みが非常に薄い場合は、マグネット３，４どうしの磁力による吸着力が大きければボード１，２と同じ大きさのものであってもよい。
【００１５】
前記した構成のボード１，２の間に媒体５を挟み込んでボード１，２を重ねると、マグネット３，４の磁力によって２枚のボード１，２は一体化され、媒体５はボード１，２の間に固定される。また、マグネット３，４どうしの吸着において、ボード１から表れているマグネット３の中心部と、ボード２から表れているマグネット３の中心部とが最も磁力が強いことで、中心部が一致した位置で固定されるので、ボード１，２に対するマグネット３，４の位置決めが正確であればボード１，２はズレることはない。
【００１６】
なお、図示のものは対角線上に２個のマグネット３，４を埋設したものを示しているが、４隅およびそれ以上のマグネット３，４を埋設することで、より２枚のボード１，２は強力に接合状態となり、容易に分離するようなことがなくなるものである。
【実施例２】
【００１７】
次に、第２の実施例を図３と共に説明するに、この実施例では、ボード１の表裏下端より平坦な脚部１１を一体的に形成したものであり、前記した実施例の板状のボード１，２を単に平面どうしを重ねたものよりも、装飾状態においてボード１，２が倒れたりすることなく安定して飾れるようにしたものである。
【００１８】
なお、第２の実施例である図３においては、ボード１に脚部１１を形成したものを示したが、ボード２に脚部を形成してもよい。また、図３ではマグネット３，４を４隅に埋設したものを示している。
【実施例３】
【００１９】
次に、第３の実施例を図４と共に説明するに、この実施例では媒体６となるものが製品（図示のものは製造会社や販売店等の文字が印刷されているゴルフボール）である立体物の場合であって、この場合には、ボード１，２に重ね合わせた状態で媒体６が収容される凹部１２，２１が形成されている。
【００２０】
このようにボード１，２の合わせ面に凹部１２，２１を形成することで、立体物の媒体６を一方のボード、例えば、ボード１の凹部１２に収容した状態でボード２の凹部２１を媒体６に収容することで、ボード１，２はマグネット３，４の磁力によって一体化され、従って、表面側（図の右側）から見て、恰もボード内に媒体６が埋め込まれているように見えて斬新性を有することとなる。
【００２１】
なお、前記した第１〜第３の実施例において、媒体５，６を挟み込んだ状態で裏面側となる、実施例においてはボード１に額縁等の図柄を印刷あるいは彫刻を施してもよい。この場合、特に、第１、第２の実施例のような媒体５である場合には、媒体５の周囲に前記図柄が表れることから、さも額縁に写真を飾っているように見え、高級感を呈することができるものである。
【図面の簡単な説明】
【００２２】
【図１】本考案の媒体表示用ボードの第１の実施例を示す分解斜視図である。
【図２】同上のボードを組み立て状態の斜視図である。
【図３】第２の実施例の組み立て状態を示す斜視図である。
【図４】第３の実施例の組み立て状態を示す斜視図である。
【符号の説明】
【００２３】
１，２      ボード
３，４      マグネット
５          板状の媒体
６          立体状の媒体
【図１】
0003106554.tif 000003
【図２】
0003106554.tif 000004
【図３】
0003106554.tif 000005
【図４】
0003106554.tif 000006